(57)【要約】【課題】画像表示領域に柔軟性を有する画像表示手段の省電力化を実現する、ことを目的とする。【解決手段】フレキシブル・ディスプレイ装置は、画像表示領域の曲がり度合いを検知し、検知した曲がり度合いに応じて画像表示領域の明るさを制御する。このために、制御部は、画像表示領域を仮想的に複数の領域に分割した分割領域毎の曲がり度合いを検知し、曲がり度合いが所定値以上となった分割領域であるひずみ領域の明るさ又は画像の色を、曲がり度合いが所定値未満の場合に比べて暗くなるように制御する。【選択図】図６
2017142340.tif 000002
【特許請求の範囲】
【請求項１】
画像を表示する画像表示領域に柔軟性を有する画像表示手段と、
前記画像表示領域の曲がり度合いを検知する検知手段と、
前記検知手段によって検知された前記曲がり度合いに応じて前記画像表示領域の明るさ及び画像の色の少なくとも一方を制御する制御手段と、
を備える情報処理装置。
【請求項２】
前記検知手段は、前記画像表示領域を仮想的に複数の領域に分割した分割領域毎の前記曲がり度合いを検知し、
前記制御手段は、前記検知手段によって検知された前記曲がり度合いが所定値以上となった前記分割領域の明るさを、前記曲がり度合いが所定値未満の場合に比べて暗くする請求項１記載の情報処理装置。
【請求項３】
前記制御手段は、前記画像表示領域の明るさを実行中のソフトウェアの種類に応じて変える請求項１又は請求項２記載の情報処理装置。
【請求項４】
前記画像表示手段は、有機ＥＬディスプレイであり、
前記制御手段は、有機ＥＬの輝度を制御する請求項１から請求項３の何れか１項記載の情報処理装置。
【請求項５】
前記画像表示手段は、液晶ディスプレイであり、
前記制御手段は、バックライトの輝度を制御する請求項１から請求項３の何れか１項記載の情報処理装置。
【請求項６】
画像を表示する画像表示領域に柔軟性を有する画像表示手段を備える情報処理装置の画像表示制御方法であって、
前記画像表示領域の曲がり度合いを検知する第１工程と、
前記第１工程によって検知した前記曲がり度合いに応じて前記画像表示領域の明るさ及び画像の色の少なくとも一方を制御する第２工程と、
を有する画像表示制御方法。
【請求項７】
画像を表示する画像表示領域に柔軟性を有する画像表示手段を備えるコンピュータを、
前記画像表示領域の曲がり度合いを検知する検知手段と、
前記検知手段によって検知された前記曲がり度合いに応じて前記画像表示領域の明るさ及び画像の色の少なくとも一方を制御する制御手段と、
して機能させるプログラム。
【発明の詳細な説明】
【技術分野】
【０００１】
本発明は、情報処理装置、画像表示制御方法、及びプログラムに関するものである。
【背景技術】
【０００２】
画像を表示する画像表示領域が薄く柔軟性（フレキシブル性）を有し、ユーザが任意の角度に曲げて使用することが可能なフレキシブル・ディスプレイ（電子ペーパー又はペーパーディスプレイともいう。）が開発されている。
例えば、特許文献１には、フレキシブル基板上に配置された表示部及び周辺回路を有する、柔軟性のあるフレキシブルな形状を持つことが可能な表示装置が開示されている。
【先行技術文献】
【特許文献】
【０００３】
【特許文献１】特開２００９−８５９９４号公報
【発明の概要】
【発明が解決しようとする課題】
【０００４】
このようなフレキシブル・ディスプレイは、ユーザが手に持ちながら表示される画像を視認することが想定される。さらに、フレキシブル・ディスプレイはユーザによって曲げられて保持されることもあり、曲げられた範囲はユーザによって殆ど視認されないと考えられる。このため、ユーザに視認されない画像表示領域の範囲にまで、ユーザに視認されている範囲と同様の画像表示制御を行うことは不要な電力消費を生じさせることとなる。
【０００５】
本発明は、このような事情に鑑みてなされたものであって、画像表示領域に柔軟性を有する画像表示手段の省電力化を実現する、情報処理装置、画像表示制御方法、及びプログラムを提供することを目的とする。
【課題を解決するための手段】
【０００６】
上記課題を解決するために、本発明の情報処理装置、画像表示制御方法、及びプログラムは以下の手段を採用する。
【０００７】
本発明の第一態様に係る情報処理装置は、画像を表示する画像表示領域に柔軟性を有する画像表示手段と、前記画像表示領域の曲がり度合いを検知する検知手段と、前記検知手段によって検知された前記曲がり度合いに応じて前記画像表示領域の明るさ及び画像の色の少なくとも一方を制御する制御手段と、を備える。
【０００８】
本発明の第二態様に係る画像表示制御方法は、画像を表示する画像表示領域に柔軟性を有する画像表示手段を備える情報処理装置の画像表示制御方法であって、前記画像表示領域の曲がり度合いを検知する第１工程と、前記第１工程によって検知した前記曲がり度合いに応じて前記画像表示領域の明るさ及び画像の色の少なくとも一方を制御する第２工程と、を有する。
【０００９】
本発明の第三態様に係るプログラムは、画像を表示する画像表示領域に柔軟性を有する画像表示手段を備えるコンピュータを、前記画像表示領域の曲がり度合いを検知する検知手段と、前記検知手段によって検知された前記曲がり度合いに応じて前記画像表示領域の明るさ及び画像の色の少なくとも一方を制御する制御手段と、して機能させる。
【発明の効果】
【００１０】
本発明によれば、画像表示領域に柔軟性を有する画像表示手段の省電力化を実現する、という効果を有する。
【図面の簡単な説明】
【００１１】
【図１】本発明の第１実施形態に係るフレキシブル・ディスプレイ装置の概略外観図である。
【図２】本発明の第１実施形態に係るフレキシブル・ディスプレイ装置の使用例を示す図である。
【図３】本発明の第１実施形態に係るひずみゲージの配置を示す構成図である。
【図４】本発明の第１実施形態に係るフレキシブル・ディスプレイ装置の電気的構成を示す機能ブロック図である。
【図５】本発明の第１実施形態に係る明るさ制御処理に係る機能ブロック図である。
【図６】本発明の第１実施形態に係る明るさ制御処理の流れを示すフローチャートである。
【図７】本発明の第２実施形態に係るフレキシブル・ディスプレイ装置の電気的構成を示す機能ブロック図である。
【図８】本発明の第２実施形態に係るバックライトの分割例を示す模式図である。
【発明を実施するための形態】
【００１２】
以下に、本発明に係る情報処理装置、画像表示制御方法、及びプログラムの一実施形態について、図面を参照して説明する。
【００１３】
〔第１実施形態〕
以下、本発明の第１実施形態について説明する。
【００１４】
図１は、本実施形態に係る情報処理装置であるフレキシブル・ディスプレイ装置１の概略外観図である。
【００１５】
フレキシブル・ディスプレイ装置１は、画像を表示する画像表示領域２に柔軟性（フレキシブル性）を有する画像表示部３を備える。画像表示部３は一例としてタッチパネルとされている。フレキシブル・ディスプレイ装置１は、ユーザが手に持って保持することが可能とされている。
図１に示される画像表示領域２の縦横比（アスペクト比）は一例であり、これに限定されるものではない。また、図１に示される画像表示領域２は矩形状であるが、これに限らず、円形又は三角形等、他の形状であってもよい。
【００１６】
図２は、フレキシブル・ディスプレイ装置１の使用例、換言すると、柔軟性を有するフレキシブル・ディスプレイ装置１の変形状態を示す図である。
フレキシブル・ディスプレイ装置１は、図２（Ａ），（Ｂ）に示されるように巻くことや、図２（Ｃ）に示されるように波状に曲げることもできる。また、フレキシブル・ディスプレイ装置１は、図２（Ｄ）に示されるように一部が重なるように折り曲げることや、図２（Ｅ）に示されるように全体を曲げることもできる。
【００１７】
本実施形態に係るフレキシブル・ディスプレイ装置１は、図３に示すように、画像表示領域２の曲がり度合いを検知する検知手段として、ひずみゲージ４を備える。
ひずみゲージ４は、例えば、画像表示領域２の範囲を仮想的に複数の領域に分割した分割領域５毎に配置される。すなわち、フレキシブル・ディスプレイ装置１は複数のひずみゲージ４を備え、各ひずみゲージ４は、配置されている分割領域５の曲がり度合いを検知する。
【００１８】
図４は、フレキシブル・ディスプレイ装置１の電気的構成を示す機能ブロック図である。
フレキシブル・ディスプレイ装置１は、制御部１０、メモリ１１、記憶部１２、通信部１３、グラフィクスアダプタ１６、及び入力コントローラ１７を備えている。
【００１９】
制御部１０は、例えば、ＣＰＵ（Central  Processing  Unit）、マイクロプロセッサ、ＤＳＰ（Digital  Signal  Processor）等であり、フレキシブル・ディスプレイ装置１の動作を統括的に制御して各種の機能（モード）を実現する。具体的には、制御部１０は、記憶部１２に記憶されているデータやメモリ１１に展開したデータを必要に応じて参照しつつ、記憶部１２に記憶されているプログラムに含まれる命令を実行して、タッチパネルである画像表示部３、通信部１３を制御することによって各種機能を実現する。なお、制御部１０が実行するプログラムや参照するデータは、通信部１３による無線通信でサーバ装置からダウンロードすることとしてもよい。
【００２０】
各ひずみゲージ４からの信号は、所定の時間間隔毎（例えば１秒毎）にＡ／Ｄ（Analog/digital）変換されて、ひずみデータとして制御部１０に入力される。そして、制御部１０は、入力されたひずみデータに基づいて画像表示領域２の明るさを制御する明るさ制御を実行する。なお、本実施形態に係る明るさ制御は、換言すると、画像表示部３に対する省電力制御である。
【００２１】
メモリ１１は、例えば、ＲＡＭ（Random  Access  Memory）やＤＲＡＭ（Dynamic  Random  Access  Memory）等で構成されており、制御部１０によって実行されるプログラム、制御部１０が参照するデータ、制御部１０の演算結果等が一時的に記憶されるワークエリアとして使用される。
【００２２】
記憶部１２は、例えば不揮発性メモリであり、制御部１０での処理に利用されるプログラムやデータを保存する。記憶部１２に記憶されるプログラムには、フレキシブル・ディスプレイ装置１の基本的な機能を実現するＯＳ（Operation  System）、デバイスをハードウェア制御するためのデバイス・ドライバ、ＷＥＢブラウジング機能を実現するための機能を提供するブラウザプログラム等が含まれる。
【００２３】
通信部１３は、ネットワークを介して他の情報処理装置との通信を制御する。
【００２４】
タッチパネルである画像表示部３は、有機ＥＬ（Organic  Electro−Luminescence）ディスプレイ３Ａ及びタッチセンサ３Ｂを備える。
【００２５】
有機ＥＬディスプレイ３Ａは、入力されるビデオ信号を画像として表示する。
【００２６】
タッチセンサ３Ｂは、例えば、静電容量方式のタッチセンサであり、有機ＥＬディスプレイ３Ａに対するユーザのタッチ位置を検出して、入力コントローラ１７に出力する。タッチセンサ３Ｂは、有機ＥＬディスプレイ３Ａの画面に表示される各種メニュー、アイコン、ボタン、およびキーボード等の画面オブジェクトを選択して入力操作を行ったり、テキストの入力操作や、スクロールやスワイプ等の画面操作を行うためのものである。
【００２７】
グラフィクスアダプタ１６は、制御部１０の制御に従って、表示情報をビデオ信号に変換し、変換したビデオ信号を有機ＥＬディスプレイ３Ａに出力する。
【００２８】
入力コントローラ１７は、プロセッサが記憶部１２等に格納されたプログラムを実行することにより各種処理を行い、タッチセンサ３Ｂの動作を制御する。
【００２９】
図５は、本実施形態に係る明るさ制御に係る機能ブロック図である。
制御部１０は、ひずみ検知部２０、ひずみ領域特定部２１、及び明るさ制御部２２を備える。
【００３０】
ひずみ検知部２０は、複数のひずみゲージ４各々からＡ／Ｄ変換後のひずみデータが入力される。そして、ひずみ検知部２０は、今回のひずみデータと前回のひずみデータとに変化が生じている場合を、ひずみの発生として検知する。なお、入力されたひずみデータと分割領域５とは、各々対応付けてメモリ１１に時系列で記憶される。ひずみが発生している場合とは、画像表示領域２が曲げられている状態である。
【００３１】
ひずみ領域特定部２１は、ひずみデータに変化のあった分割領域５の曲がり度合いをひずみデータから算出し、曲がり度合いが所定値以上の分割領域５をひずみ領域として特定する。
曲がり度合いとは、換言すると分割領域５の曲がり角度であり、画像表示領域２の変形状態を示す尺度である。なお、ひずみデータそのものの値が、曲り度合いとして用いられてもよい。
上記所定値は、任意の値が予め設定されているものの、例えばユーザがその分割領域５の画像を視認しないと想定される曲り度合いを示す閾値である。
【００３２】
明るさ制御部２２は、ひずみ領域の明るさを制御する。すなわち、明るさ制御部２２は、ユーザが視認しないと想定される画像表示領域２の明るさを制御することとなる。本実施形態に係る明るさ制御部２２は、ひずみ領域の明るさを曲がり度合いが所定値未満の場合に比べて暗くする。なお、本実施形態に係る明るさ制御部２２は、グラフィクスアダプタ１６を介して有機ＥＬディスプレイ３Ａを形成する有機ＥＬの輝度（明るさ）を制御する。
【００３３】
図６は、制御部１０によって実行される明るさ制御処理の流れを示すフローチャートである。明るさ制御処理は、フレキシブル・ディスプレイ装置１が画像表示領域２に画像を表示している場合に実行される。
【００３４】
まず、ステップ１００では、ひずみデータに変化があったか否かを判定し、肯定判定の場合にステップ１０２へ移行する。
【００３５】
ステップ１０２では、ひずみ領域を特定する。
【００３６】
次のステップ１０４では、ひずみ領域の位置に基づいてひずみの種類を特定する。
ひずみの種類とは、図２で示したようなフレキシブル・ディスプレイ装置１の変形の種類である。変形の種類は、曲がり度合いやひずみ領域の位置から特定される。例えば、図２（Ａ）〜（Ｃ）のような変形の場合は、曲がり度合いの大きなひずみ領域が連続するので、それによりフレキシブル・ディスプレイ装置１の変形状態として、一部が巻かれたり、一部が波状に曲げられていると特定される。また、図２（Ｄ）のような変形の場合は、ひずみ領域が直線状に連続し、かつ各ひずみ領域の曲がり度合いが非常に大きい（約１８０°）ため、フレキシブル・ディスプレイ装置１の一部が重なるように曲げられていると特定される。また、図２（Ｅ）のような変形の場合は、ひずみ領域がフレキシブル・ディスプレイ装置１の長尺方向に直線状に連続しているものの、ユーザがフレキシブル・ディスプレイ装置１の片側のみ保持しているため、ひずみ領域の曲がり度合いが徐々に変化している。このような場合は、フレキシブル・ディスプレイ装置１が全体的に曲げられていると特定できる。
【００３７】
次のステップ１０６では、ひずみ領域の調光又は消灯をひずみの種類に応じて判定し、調光する場合はステップ１０８へ移行して調光制御を実行し、ステップ１００へ戻る。一方、否定判定の場合はステップ１１０へ移行し、消灯制御を実行し、ステップ１００へ戻る。
例えば、図２（Ａ），（Ｂ）のような変形では、ユーザが巻かれた領域を視認することはないと想定し、ひずみ領域に対して消灯制御が行われる。図２（Ｃ）のような変形では、ユーザが波状の領域を視認する可能性もあると想定し、ひずみ領域に対して調光制御が行われる。図２（Ｄ）のような変形では、ユーザが折り曲げられた領域を視認することはないと想定し、ひずみ領域に対して消灯制御が行われる。図２（Ｅ）のような変形では、曲げられた領域をユーザが視認する可能性もと想定し、ひずみ領域に対して調光制御が行われる。
【００３８】
明るさ制御処理は、一例として、消灯制御を行う基準となる曲がり度合いを示す消灯基準値が予め定められ、曲がり度合いが消灯基準値未満のひずみ領域に対して、例えば輝度をそれまでに比べて５０％とする調光制御を行う。一方、曲がり度合いが消灯基準値を超えるひずみ領域に対して、明るさ制御処理は消灯制御を行う。
このように、明るさ制御処理は、ひずみ領域に対して調光制御又は消灯制御を行うことで消費電力を低下させるので、画像表示部３を省電力化できる。
【００３９】
なお、本実施形態に係る調光制御及び消灯制御は、ひずみ領域単位で有機ＥＬの輝度（明るさ）を制御することで行われる。調光制御の場合は、例えば、ひずみ領域に半透明のウィンドウを被せることで、有機ＥＬの輝度を低下させて画像表示する。消灯制御は、例えば、ひずみ領域に黒のウィンドウを被せることで、有機ＥＬを発光させない。
すなわち、有機ＥＬディスプレイ３Ａに対する明るさ制御処理は、調光制御又は消灯制御に応じた画像データを生成し、ひずみ領域に対応する有機ＥＬの発光状態を制御することで、省電力を実現する。
【００４０】
また、明るさ制御処理は、分割領域５の明るさを実行中のソフトウェア（コンテンツ）の種類に応じて変えてもよい。
【００４１】
例えば、実行中のソフトウェアが電子書籍の閲覧ソフトである場合、ユーザは、画像表示領域２の一部を図２（Ａ）〜（Ｄ）のように変形させながら電子書籍を読む可能性がある。このような場合、ひずみ領域を消灯制御すると、ユーザが違和感を覚える可能性がある。そこで、このような場合、明るさ制御処理はひずみ領域を消灯制御せず、文字が表示されていることをユーザが認識できる程度に暗くなるように調光制御する。
【００４２】
また、実行中のソフトウェアが動画やＪＰＥＧデータのような画像閲覧ソフトであり、画像表示領域２全面で画像を表示している場合、画像表示領域２の一部を変形させながらユーザが画像を閲覧するとは想定し難い。このような場合、明るさ制御処理は、ひずみ領域が画像表示領域２の一部だけであっても、画像表示領域２全体の明るさをそれまでに比べて暗くなるように調光制御又は消灯制御する。
【００４３】
以上説明したように、本実施形態に係るフレキシブル・ディスプレイ装置１は、画像表示領域２の曲がり度合いを検知し、検知した曲がり度合いに応じて画像表示領域２の明るさを制御する。これにより、ユーザが視認しないと想定される画像表示領域２の明るさが制御されるので、画像表示領域２に柔軟性を有する画像表示部３の省電力化を実現できる。
【００４４】
なお、本実施形態では、ひずみ領域単位で有機ＥＬの明るさを制御することで調光制御又は消灯制御を行う形態について説明したが、これに限らず、画像表示領域２が一つのひずみ領域よりも各々が大きくなるように仮想的に複数の制御領域に分割され、ひずみ領域が含まれる制御領域に対して調光制御又は消灯制御を行ってもよい。
【００４５】
〔第２実施形態〕
以下、本発明の第２実施形態について説明する。
【００４６】
なお、本実施形態に係るフレキシブル・ディスプレイ装置１の構成は、図１〜３に示す第１実施形態に係るフレキシブル・ディスプレイ装置１の構成と同様であるので説明を省略する。
【００４７】
図７は、本実施形態に係るフレキシブル・ディスプレイ装置１の電気的構成を示す機能ブロック図である。なお、図８における図３と同一の構成部分については図３と同一の符号を付して、その説明を省略する。
【００４８】
本実施形態に係るタッチパネルである画像表示部３は、液晶パネル３Ｃ及びバックライト３Ｄを備えた液晶ディスプレイとされる。
液晶パネル３Ｃは、グラフィクスアダプタ１６から出力されるビデオ信号に基づいて画像を表示する。
バックライト３Ｄは、制御部１０によって明るさ（輝度）が制御される。
【００４９】
本実施形態に係る制御部１０は、明るさ制御処理において、ひずみ領域に対応するバックライト３Ｄの輝度（明るさ）を制御する。すなわち、本実施形態に係る明るさ制御部２２は、バックライト３Ｄの輝度を制御する。
例えば、本実施形態に係るバックライト３Ｄは、図８の破線で示されるように、複数に分割され、分割されたバックライト３Ｄ毎に輝度を制御可能とされている。例えば、図８（Ａ）では、バックライト３Ｄは長尺方向に均等に５つに分割されている。また、図８（Ｂ）では、バックライト３Ｄは縦及び横のマトリクス状に４つに均等に分割されている。
さらに、図８（Ｃ）の例では、バックライト３Ｄは長尺方向に３つに分割されているものの、中央領域が両側領域よりも狭い。この理由は、フレキシブル・ディスプレイ装置１を中央近辺で曲げて使用する頻度が高いことが想定されるので、中央領域のバックライト３Ｄの制御性を高めるためである。
【００５０】
以上、本発明を、上記各実施形態を用いて説明したが、本発明の技術的範囲は上記実施形態に記載の範囲には限定されない。発明の要旨を逸脱しない範囲で上記各実施形態に多様な変更又は改良を加えることができ、該変更又は改良を加えた形態も本発明の技術的範囲に含まれる。また、上記各実施形態を適宜組み合わせてもよい。
【００５１】
例えば、上記各実施形態では、分割領域５毎に一つのひずみゲージ４が配置される形態について説明したが、本発明は、これに限定されるものではなく、分割領域５毎に複数のひずみゲージ４が配置され、ひずみデータの平均値又は最大値から曲がり度合いを算出する形態としてもよい。
【００５２】
また、上記各実施形態では、曲がり度合いを検知する検知手段としてひずみゲージ４を適用する形態について説明したが、本発明は、これに限定されるものではなく、この検知手段として、加速度センサ又はジャイロセンサ等、他の検知手段が適用され、画像表示領域２の曲がり度合いを検知する形態としてもよい。
【００５３】
また、上記各実施形態では、ひずみ領域に対する明るさ制御を調光制御及び消灯制御の２種類とする形態について説明したが、本発明は、これに限定されるものではなく、ひずみ領域の曲がり度合いに比例して明るさの度合いを変化させる等、他の明るさ制御を行う形態としてよい。
【００５４】
また、上記各実施形態で説明した明るさ制御処理の流れも一例であり、本発明の主旨を逸脱しない範囲内において不要なステップを削除したり、新たなステップを追加したり、処理順序を入れ替えたりしてもよい。
例えば、明るさ制御処理には、ひずみ領域におけるひずみが解消された場合に、当該領域に対する調光制御又は消灯制御の実行を停止する処理が含まれてもよい。
【００５５】
また、上記各実施形態では、ひずみ領域の調光制御や消灯制御による省電力について説明したが、本発明は、これに限定されるものではなく、調光制御や消灯制御以外にも、表示している画像の色（以下「表示色」という。）を制御することで省電力制御を行う形態としてもよい。
【００５６】
表示色の制御とは、表示色の色調や色域を変更することである。
より具体的には、他の表示色に比べて電力消費量が相対的に大きい表示色の色調や色域を変更して、より電力消費量が相対的に小さい表示色とする。
なお、電力消費量が相対的に大きい表示色は、フレキシブル・ディスプレイ装置１の仕様によって異なる場合がある。このため、省電力制御のために変更する表示色は、フレキシブル・ディスプレイ装置１の仕様に応じて異なってもよい。例えば、電力消費量が相対的に大きい表示色が青色の場合は、省電力制御として青色の諧調を変更する。
また、検知された曲がり度合いに応じて表示色の変更の度合いを変えてもよい。
【００５７】
さらに、省電力制御として、調光制御、消灯制御、及び表示色の制御のうちから、最適な制御を実行してもよい。
【符号の説明】
【００５８】
１    フレキシブル・ディスプレイ装置（情報処理装置）
２    画像表示領域
３    画像表示部（画像表示手段）
３Ａ  有機ＥＬディスプレイ
３Ｄ  バックライト
４    ひずみゲージ（検知手段）
２２  明るさ制御部（制御手段）
【図１】
2017142340.tif 000003
【図２】
2017142340.tif 000004
【図３】
2017142340.tif 000005
【図４】
2017142340.tif 000006
【図５】
2017142340.tif 000007
【図６】
2017142340.tif 000008
【図７】
2017142340.tif 000009
【図８】
2017142340.tif 000010